(57)【要約】【課題】  破損した瓦を簡単に補修でき、また完品状態の瓦に対して予防的措置として被覆を施すことで耐衝撃性および耐漏水性を向上させる。【解決手段】  本発明にかかる屋根瓦本体補強用のアシスト瓦１００ａは、屋根瓦本体２００の表面形状と略同一の表面形状と、屋根瓦本体２００の表面形状に合致する裏面形状を備え、屋根瓦本体２００の厚みよりも薄い厚みである曲面形状を持ち、完品状態または破損状態の屋根瓦本体２００の上面を被覆するように屋根瓦本体２００の表面に貼付して取り付けることにより、屋根瓦本体を補強する。裏面に施用することや両面に施用することも可能であり、また、横並びに連続した屋根瓦本体群、縦方向に連続配設された屋根瓦本体群、さらに、縦横マトリクスに配設されている一群の屋根瓦本体群に合致する形状とすれば、それら屋根瓦本体群に対して上面、裏面、両面を被覆せしめることもできる。【選択図】図１
2020204179.tif 000002
【特許請求の範囲】
【請求項１】
屋根瓦本体の表面形状と略同一の表面形状と、前記屋根瓦本体の表面形状に合致する裏面形状を備え、前記屋根瓦本体の厚みよりも薄い厚みである曲面形状を持ち、
完品状態または破損状態の前記屋根瓦本体の上面を被覆するように前記屋根瓦本体の表面に貼付して取り付けることにより、前記屋根瓦本体を補強する屋根瓦本体補強用のアシスト瓦。
【請求項２】
屋根瓦本体の裏面形状と略同一の表面形状と、前記屋根瓦本体の裏面形状に合致する裏面形状を備え、前記屋根瓦本体の厚みよりも薄い厚みである曲面形状を持ち、
完品状態または破損状態の前記屋根瓦本体の下面を被覆するように前記屋根瓦本体の裏面に貼付して取り付けることにより、前記屋根瓦本体を補強する屋根瓦本体補強用のアシスト瓦。
【請求項３】
前記屋根瓦本体に対して、その表面用の請求項１に記載の屋根瓦本体補強用のアシスト瓦と、その裏面用の請求項２に記載の屋根瓦本体補強用のアシスト瓦を備えた前記屋根瓦本体を表裏両面で補強する屋根瓦本体補強用のアシスト瓦のセット。
【請求項４】
屋根の上に敷設した状態の複数枚の前記屋根瓦本体である屋根瓦本体群の表面形状と略同一の表面形状と、前記屋根瓦本体群の表面形状に合致する裏面形状を備え、前記屋根瓦本体群の厚みよりも薄い厚みである曲面形状を持ち、
すべての前記屋根瓦本体が完品状態または一部の前記屋根瓦本体が破損状態の前記屋根瓦本体群の上面を被覆するように、前記屋根瓦本体群の表面に貼付して取り付けることにより、前記屋根瓦本体群としてまとめて補強する屋根瓦本体群補強用のアシスト瓦。
【請求項５】
屋根の上に敷設した状態の複数枚の前記屋根瓦本体である屋根瓦本体群の裏面形状と略同一の表面形状と、前記屋根瓦本体群の裏面形状に合致する裏面形状を備え、前記屋根瓦本体群の厚みよりも薄い厚みである曲面形状を持ち、
前記屋根瓦本体群が完品状態または一部の前記屋根瓦本体が破損状態の前記屋根瓦本体群の裏面を被覆するように、前記屋根瓦本体群の裏面に貼付して取り付けることにより、前記屋根瓦本体群としてまとめて補強する屋根瓦本体群補強用のアシスト瓦。
【請求項６】
前記屋根瓦本体群に対して、その表面用の請求項４に記載の屋根瓦群本体補強用のアシスト瓦と、その裏面用の請求項５に記載の屋根瓦本体群補強用のアシスト瓦を備えた前記屋根瓦本体群を表裏両面で補強する屋根瓦本体群補強用のアシスト瓦のセット。
【請求項７】
前記屋根瓦本体群が、前記屋根の上に敷設した状態において横方向に隣接して配列されている複数枚の前記屋根瓦本体である請求項４または５に記載の屋根瓦本体群補強用のアシスト瓦。
【請求項８】
前記屋根瓦本体群が、前記屋根の上に敷設した状態において上下方向に隣接して配列されている複数枚の前記屋根瓦本体である請求項４または５に記載の屋根瓦本体群補強用のアシスト瓦。
【請求項９】
前記屋根瓦本体群が、前記屋根の上に敷設した状態において縦横マトリックスに隣接して配列されている複数枚の前記屋根瓦本体である請求項４または５に記載の屋根瓦本体群補強用のアシスト瓦。
【請求項１０】
前記曲面形状の一部に雨水の浸入を防止する突条片を設けたことを特徴とする請求項１に記載の屋根瓦本体補強用のアシスト瓦。
【請求項１１】
前記曲面形状の一部に雨水の浸入を防止する突条片を設けたことを特徴とする請求項４に記載の屋根瓦本体群補強用のアシスト瓦。
【請求項１２】
前記上面またはその一部に模様または色彩を施したものであることを特徴とする請求項１に記載の屋根瓦本体補強用のアシスト瓦。
【請求項１３】
前記上面またはその一部に模様または色彩を施したものであることを特徴とする請求項４に記載の屋根瓦本体群補強用のアシスト瓦。 
【発明の詳細な説明】
【技術分野】
【０００１】
本発明は、完品状態または破損状態の屋根瓦本体の上面を被覆するように貼付して取り付けることにより、屋根瓦本体を補強するものに関する。
【背景技術】
【０００２】
屋根瓦には一般的にＪ型瓦（和瓦）または桟瓦と称される瓦が広く使用されており、粘度素材でその表面に釉薬を施して焼結したものが基本である。
形状については様々なバリエーションがあるが、いわゆる中央部分が谷状に湾曲し、端部に隆起する山部が形成され、一対角の両角に切欠を設けてあり、また、裏面には屋根の瓦桟に引っ掛ける突起が形成されている形状が基本である。
【０００３】
これを葺く時には、予め屋根には横長に瓦桟を釘付けして配列しておいて、それに突起を掛けることによって、縦横に並べながら切欠どうしで掛け合わせることによって葺かれ、この葺き方で瓦が相互に持ち合って安定した結合関係が構築される。なお、瓦を葺くときには、それを瓦桟に銅線で結びつけられるか、部分的に一部瓦について釘付けされる。
【先行技術文献】
【特許文献】
【０００４】
【特許文献１】特開２００７−２４７３１２号公報
【特許文献２】特開２００１−３２９６６０号公報
【発明の概要】
【発明が解決しようとする課題】
【０００５】
上記したように素材としては粘土の焼成物であるので、剛性は大きいものの靭性に乏しく、また、耐衝撃性も大きくはないため、衝撃が加わると割れたり破損したりするおそれがある。例えば、外部から飛来した落石、地震や台風などの自然災害、落雪の衝撃、冬季の積雪の重み、あるいは瓦の凍結など様々な要因により、割れたり破損したりするおそれがある。割れや破損が生じてしまうと、そこから雨漏りが生じることになるので修復する必要があるが、屋根という高所で角度のある個所に葺かれたものであるので、傷んだ瓦を取り替えることは素人には困難であり、応急的にトタン板を瓦の下に差し込んで取り付けることもあったが、脱落しやすいばかりでなく体裁が良くないという問題があった。
【０００６】
瓦が破損などした場合、瓦の交換を行うまでの間、屋根の漏水を防止するために一時的にブルーシートなどで屋根を覆う補修を行う場合がある。
しかし、ブルーシートには耐久性の問題がある。ブルーシートの耐久性は屋外で使用した場合おおよそ半年から1年程度であり、大規模な地震や台風被害であれば、本格的な屋根修理に待機時間がかかることがあり、更にブルーシートを架け替えねばならない問題が生じる。
また、ブルーシートの施用の規模の問題がある。ブルーシートで一時的に屋根を補修する場合、瓦１枚の破損でも広範囲に覆わないと雨漏りを止めることができない。そのために補修自体が大きな規模となってしまう。
次に、施工職人の確保の問題がある。屋根をブルーシートなどで覆う場合、素人では難しく、やはり専門的技能を有した職人を必要とする。そのため一時補修費用がかさみ、大規模災害が起きた時は職人が不足し屋根修理に時間が掛かることが予想される。
【０００７】
ここで、割れたり破損したりした瓦が粉々になる事態ではなく、原型はある程度残した状態でのひびや割れという事態であれば、それらの表面を被覆して補修し、一時的に瓦としての用を為させることができれば便利である。また、割れたり破損したりする前に予防的に完品状態の瓦の表面などに被覆を施すことで耐衝撃性を向上しておくことができれば便利である。
【０００８】
上記課題に鑑み、本発明は、割れたり破損したりした瓦を素人でも簡単に一時的に補修でき、また、完品状態の瓦に対して予防的措置として、被覆を施すことで耐衝撃性および耐水性（耐漏水防止性）を向上させることができる屋根瓦本体補強用のアシスト瓦を提供することを目的とした。
【課題を解決するための手段】
【０００９】
本発明では、割れや破損が生じた瓦の表面に被覆を施して一時的に補修するもの、または、予防的措置として完品状態の瓦の表面に被覆を施して耐衝撃性を向上させるものを「屋根瓦本体補強用のアシスト瓦」と呼ぶ。また、屋根に葺かれた状態の隣接した複数枚の屋根瓦本体の一群を「屋根瓦本体群」と呼び、それら屋根瓦本体群の表面にまとめて一体に被覆を施すものを「屋根瓦本体群補強用のアシスト瓦」と呼ぶ。
上記目的を達成するために、本発明にかかる屋根瓦本体補強用のアシスト瓦は、屋根瓦本体の表面形状と略同一の表面形状と、前記屋根瓦本体の表面形状に合致する裏面形状を備え、前記屋根瓦本体の厚みよりも薄い厚みである曲面形状を持ち、完品状態または破損状態の前記屋根瓦本体の上面を被覆するように前記屋根瓦本体の表面に貼付して取り付けることにより、前記屋根瓦本体を補強する屋根瓦本体補強用のアシスト瓦である。
【００１０】
上記構成により、破損状態の屋根瓦本体の断片等をできるだけ原型に近い状態に並べてその表面を屋根瓦本体補強用のアシスト瓦で被覆することにより、全体形状が原型の屋根瓦本体の形状に近い状態で復元することができ、一時的に補修することができ、瓦本来の機能を維持させることができる。また、完品状態の屋根瓦本体の表面を屋根瓦本体補強用のアシスト瓦で被覆することにより、表面がプラスチック樹脂シート素材、プラスチック樹脂フィルム素材で被覆され、予防的措置として耐衝撃性や耐水性を向上させることができる。
【００１１】
次に、本発明の屋根瓦本体補強用のアシスト瓦は、屋根瓦本体の表面のみならず、裏面に施用することもできる。つまり、本発明の裏面用の屋根瓦本体補強用のアシスト瓦は、屋根瓦本体の裏面形状と略同一の表面形状と、前記屋根瓦本体の裏面形状に合致する裏面形状を備え、前記屋根瓦本体の厚みよりも薄い厚みである曲面形状を持ち、完品状態または破損状態の前記屋根瓦本体の下面を被覆するように前記屋根瓦本体の裏面に貼付して取り付けることにより、前記屋根瓦本体を補強する屋根瓦本体補強用のアシスト瓦である。
上記構成により、表面側ではなく、裏面側から破損状態の屋根瓦本体を一時的に補修したり、完品状態の屋根瓦本体の予防的措置として被覆したりすることができる。
【００１２】
なお、前記屋根瓦本体に対して、その表面用には表面用の屋根瓦本体補強用のアシスト瓦、裏面用には裏面用の屋根瓦本体補強用のアシスト瓦を用いて、前記屋根瓦本体を表裏両面で補強する屋根瓦本体補強用のアシスト瓦のセットとして提供することもできる。
上記構成により、表面側のみではなく裏面側にも屋根瓦本体補強用のアシスト瓦を被覆させることができ、さらに剛性を大きくし、また、雨水への耐水性も大きくすることができ、屋根瓦本体の役割を果たさせることができる。
【００１３】
次に、本発明の屋根瓦本体補強用のアシスト瓦は、単葉の瓦だけではなく、屋根に葺かれた状態の隣接した複数枚の一群の「屋根瓦本体群」の表面にまとめて一体に被覆を施す「屋根瓦本体群補強用のアシスト瓦」として提供できる。
つまり、本発明の屋根瓦本体群補強用のアシスト瓦は、屋根の上に敷設した状態の複数枚の前記屋根瓦本体である屋根瓦本体群の表面形状と略同一の表面形状と、前記屋根瓦本体群の表面形状に合致する裏面形状を備え、前記屋根瓦本体群の厚みよりも薄い厚みである曲面形状を持ち、すべての前記屋根瓦本体が完品状態または一部の前記屋根瓦本体が破損状態の前記屋根瓦本体群の上面を被覆するように、前記屋根瓦本体群の表面に貼付して取り付けることにより、前記屋根瓦本体群としてまとめて補強するものである。
【００１４】
上記構成により、破損状態の屋根瓦本体の断片等を原型に近い状態に並べた上、その周囲にある一群の屋根瓦本体をまとめて被覆することにより、単葉の場合よりも安定した状態で維持することが可能となる。例えば、破損状態の屋根瓦本体を中心とし、周囲にある完品状態の屋根瓦本体をまとめた形で屋根瓦本体群の上面を被覆する。それら一群の屋根瓦本体群をまとめた状態で復元することができ、一時的に補修し、屋根瓦本来の機能を維持させることができる。屋根瓦本体群補強用のアシスト瓦で被覆することにより、表面がプラスチック樹脂シート素材、プラスチック樹脂フィルム素材で被覆され、予防的措置として耐衝撃性や耐水性を向上させることができる。
【００１５】
なお、単葉の場合と同様に、屋根瓦本体群補強用のアシスト瓦は、屋根瓦本体群の表面のみならず、裏面に施用することもできる。つまり、本発明の裏面用の屋根瓦本体群補強用のアシスト瓦は、屋根の上に敷設した状態の複数枚の前記屋根瓦本体である屋根瓦本体群の裏面形状と略同一の表面形状と、前記屋根瓦本体群の裏面形状に合致する裏面形状を備え、前記屋根瓦本体群の厚みよりも薄い厚みである曲面形状を持ち、前記屋根瓦本体群が完品状態または一部の前記屋根瓦本体が破損状態の前記屋根瓦本体群の裏面を被覆するように、前記屋根瓦本体群の裏面に貼付して取り付けることにより屋根瓦本体群としてまとめて補強する。
【００１６】
また、同様に、屋根瓦本体群に対して、その表面用の屋根瓦群本体補強用のアシスト瓦と、その裏面用の屋根瓦本体群補強用のアシスト瓦のセットとして提供することもできる。
上記構成により、表面側のみではなく裏面側にも屋根瓦本体群補強用のアシスト瓦を被覆させることができ、さらに剛性を大きくし、また、雨水への耐水性も大きくすることができ、屋根瓦本体群の役割を果たさせることができる。
【００１７】
ここで、屋根瓦本体群の捉え方は限定されないが、例えば、屋根瓦本体群が屋根の上に敷設した状態において横方向に隣接して配列されている複数枚の屋根瓦本体を一群のものとして屋根瓦本体群とし、横長に屋根瓦本体群補強用のアシスト瓦を適用することができる。
また、例えば、屋根瓦本体群が屋根の上に敷設した状態において上下方向に隣接して配列されている複数枚の屋根瓦本体を一群のものとして屋根瓦本体群とし、縦長に屋根瓦本体群補強用のアシスト瓦を適用することができる。
【００１８】
次に、本発明にかかる屋根瓦本体補強用のアシスト瓦および屋根瓦本体群補強用のアシスト瓦において、曲面形状の一部に雨水の浸入を防止する突条片を設けた構造とすることができる。突条片により雨水の流れ込みを防止することで雨水対策が強化できる。
【００１９】
次に、本発明にかかる屋根瓦本体補強用のアシスト瓦および屋根瓦本体群補強用のアシスト瓦において、上面またはその一部に模様または色彩を施すことができる。従来の屋根瓦は灰色や茶色などの単色のものが多かったが、模様または色彩を施すことで多様なデザイン瓦とすることができる。
【発明の効果】
【００２０】
本発明にかかる屋根瓦本体補強用のアシスト瓦によれば、破損状態の屋根瓦本体の断片等をできるだけ原型に近い状態に並べてその表面を屋根瓦本体補強用のアシスト瓦で被覆することにより、全体形状が原型の屋根瓦本体の形状に近い状態で復元することができ、一時的に補修することができ、瓦本来の機能を維持させることができる。また、完品状態の屋根瓦本体の表面を屋根瓦本体補強用のアシスト瓦で被覆することにより、表面がプラスチック樹脂シート素材、プラスチック樹脂フィルム素材で被覆され、予防的措置として耐衝撃性や耐水性を向上させることができる。
本発明にかかる屋根瓦本体群補強用のアシスト瓦によれば、破損状態の屋根瓦本体の断片等を原型に近い状態に並べた上、その周囲にある一群の屋根瓦本体をまとめて被覆することにより、単葉の場合よりも安定した状態で維持することが可能となる。例えば、破損状態の屋根瓦本体を中心とし、周囲にある完品状態の屋根瓦本体をまとめた形で屋根瓦本体群の上面を被覆する。それら一群の屋根瓦本体群をまとめた状態で復元することができ、一時的に補修し、屋根瓦本来の機能を維持させることができる。屋根瓦本体群補強用のアシスト瓦で被覆することにより、表面がプラスチック樹脂シート素材、プラスチック樹脂フィルム素材で被覆され、予防的措置として耐衝撃性や耐水性を向上させることができる。
【図面の簡単な説明】
【００２１】
【図１】本発明の実施例１にかかる単葉向けの屋根瓦本体補強用のアシスト瓦１００を簡単に示した斜視図である。
【図２】屋根瓦本体２００の表面に屋根瓦本体補強用のアシスト瓦１００ａを適用する様子を示す図である。
【図３】屋根瓦本体２００の裏面に屋根瓦本体補強用のアシスト瓦１００ｂを適用する様子を示す図である。
【図４】表面側に屋根瓦本体補強用のアシスト瓦１００ａを貼付し、裏面側に屋根瓦本体補強用のアシスト瓦１００ｂを貼付する様子を示す図である。
【図５】実施例２にかかる３枚横並びに連続配設された状態の屋根瓦本体群向けの屋根瓦本体群補強用のアシスト瓦を簡単に示した斜視図である。
【図６】横並びに３枚連続に配設された屋根瓦本体群２００向けの屋根瓦本体群補強用のアシスト瓦１００ｄを簡単に示した斜視図である。
【図７】表面側に屋根瓦本体群補強用のアシスト瓦１００ｃ、裏面側に屋根瓦本体群補強用のアシスト瓦１００ｄを貼付する様子を示す図である。
【図８】実施例２にかかる縦方向に配設された状態の屋根瓦本体群向けの屋根瓦本体群補強用のアシスト瓦１００ｅを簡単に示した斜視図である。
【図９】縦方向に３枚連続に配設された屋根瓦本体群２００向けの屋根瓦本体群補強用のアシスト瓦１００ｆを簡単に示した斜視図である。
【図１０】表面側に屋根瓦本体群補強用のアシスト瓦１００ｅ、裏面側に屋根瓦本体群補強用のアシスト瓦１００ｆを貼付する様子を示す図である。
【図１１】縦横マトリックス配設された状態の屋根瓦本体群向けの屋根瓦本体群補強用のアシスト瓦１００ｇを簡単に示した斜視図である。
【図１２】縦横マトリックス配設された状態の屋根瓦本体群向けの屋根瓦本体群補強用のアシスト瓦１００ｈを簡単に示した斜視図である。
【図１３】表面側に屋根瓦本体群補強用のアシスト瓦１００ｇ、裏面側に屋根瓦本体群補強用のアシスト瓦１００ｈを貼付した図である。
【図１４】実施例３の屋根瓦本体補強用のアシスト瓦１００の曲面形状の一部に雨水の浸入を防止する突条片１１０を設けた構成例を示す図である。
【発明を実施するための形態】
【００２２】
以下、本発明の屋根瓦本体補強用のアシスト瓦および屋根瓦本体群補強用のアシスト瓦の実施例を説明する。なお、本発明はこれらの構成例に限定されるものではない。
【００２３】
以下の実施例において、本発明の単葉向けの「屋根瓦本体補強用のアシスト瓦」は、割れや破損が生じた瓦の表面に被覆を施して一時的に補修するもの、または、予防的措置として完品状態の瓦の表面に被覆を施して耐衝撃性を向上させるものを屋根瓦本体補強用のアシスト瓦と呼ぶ。
また、本発明の複数枚一群向けの「屋根瓦本体群補強用のアシスト瓦」は、屋根に葺かれた状態の隣接した複数枚の屋根瓦本体の一群を「屋根瓦本体群」と呼び、それら屋根瓦本体群の表面にまとめて一体に被覆を施すものを屋根瓦本体群補強用のアシスト瓦と呼ぶ。
【００２４】
以下、実施例１において、単葉向けの「屋根瓦本体補強用のアシスト瓦」の実施例を示し、実施例２において、複数枚一群向けの「屋根瓦本体群補強用のアシスト瓦」の実施例を示す。
【実施例１】
【００２５】
図１は、本発明にかかる単葉向けの屋根瓦本体補強用のアシスト瓦１００を簡単に示した斜視図である。併せて屋根瓦本体２００も示している。
本発明の屋根瓦本体補強用のアシスト瓦１００の素材としては限定されないが、例えば、ポリカーボネート中空板などのプラスチック樹脂素材、アルミ樹脂複合板など樹脂金属複合材、ＡＢＳ発砲樹脂などの発砲樹脂素材、工業用ゴム素材、エンジニアリングプラスチックなどのプラスチック樹脂素材、ターポリン袋素材などがある。素材の選定によって断熱性を与えることも可能となる。
本発明の屋根瓦本体補強用のアシスト瓦１００の外形としては適用する屋根瓦本体２００の外形と同様のものとなっている。この例ではいわゆるＪ型瓦の外形となっており、独特の波打った形状となっている。
なお、この形状に加工するための加工方法としては限定されないが、プレス加工、Ｒ曲げ加工、加熱曲げ加工、その他樹脂貼合せ加工、瓦を入れる袋加工などがある。樹脂貼合せ加工とすれば、断熱性が向上し、雨水対策が施しやすい。
【００２６】
図１に示すように、単葉向けの屋根瓦本体補強用のアシスト瓦１００には、屋根瓦本体２００に対して、その表面に適用するタイプ（図１の上側に図示）と、その裏面に適用するタイプ（図１の下側に図示）がある。ここでは、前者を１００ａの付番を付け、後者を１００ｂの付番を付けている。
【００２７】
まず、屋根瓦本体２００の表面に適用するタイプ１００ａについて説明する。
図１の上側に示すように、単葉向けで屋根瓦本体２００の表面に適用する屋根瓦本体補強用のアシスト瓦１００ａは、その表面形状が屋根瓦本体２００の表面形状と略同一となっている。そのため、適用対象となった或る屋根瓦本体２００に対して、屋根瓦本体補強用のアシスト瓦１００ａを適用して貼付しても、周囲の屋根瓦本体２００と同形状の仕上がりに見えるため、違和感がないというメリットが得られる。
【００２８】
また、図１の上側に示すように、単葉向けで屋根瓦本体２００の表面に適用する屋根瓦本体補強用のアシスト瓦１００ａは、その裏面形状が屋根瓦本体２００の表面形状に合致するものとなっている。つまり、貼付する屋根瓦本体補強用のアシスト瓦１００ａの裏面と、貼付される屋根瓦本体２００の表面とが合致している形状同士であるため、両者を密接に貼付することができる。
【００２９】
また、図１の上側に示すように、屋根瓦本体２００の厚みよりも、屋根瓦本体補強用のアシスト瓦１００ａの厚みが薄い曲面形状となっている。例えば図１のように厚みが十分に薄い場合、屋根瓦本体２００に屋根瓦本体補強用のアシスト瓦１００ａを貼付しても厚みの増加が顕著ではないため、屋根葺きの状態において、屋根瓦本体補強用のアシスト瓦１００ａを貼付した屋根瓦本体２００が周囲から盛り上がったり浮き上がったりすることなく、整然と屋根葺きの状態を乱すこともない。
【００３０】
なお、屋根瓦本体２００は、完品状態であっても良く、破損状態であっても良い。いずれの場合でも屋根瓦本体２００の上面を被覆するように屋根瓦本体補強用のアシスト瓦１００ａを貼付して取り付けることにより、屋根瓦本体２００を補強することができる。
【００３１】
図２は、屋根瓦本体２００の表面に屋根瓦本体補強用のアシスト瓦１００ａを適用する様子を示す図である。
図２に示すように、屋根瓦本体２００の表面に対して、屋根瓦本体補強用のアシスト瓦１００ａの裏面を載置して接着剤などを介して貼付すると、図２の下側に示すように、両者が密着した状態となる。屋根瓦本体補強用のアシスト瓦１００ａの裏面形状が屋根瓦本体２００の表面形状に合致するものとなっているので、両者を密接に貼付することができる。
【００３２】
屋根瓦本体補強用のアシスト瓦１００ａを屋根瓦本体２００の表面に適用した状態では、外形としては元々の屋根瓦本体２００の外形と同様であるため、屋根瓦本体補強用のアシスト瓦１００ａで補強した屋根瓦本体２００は、普通の完品状態の屋根瓦本体２００として屋根の上に葺くことができる。たとえ屋根瓦本体２００が割れたり破損したりしている状態でも表面側は屋根瓦本体補強用のアシスト瓦１００ａに被覆されており、耐漏水性が向上するとともに耐衝撃性も向上している。
【００３３】
次に、屋根瓦本体２００の裏面に適用するタイプ１００ｂについて説明する。
図１の下側に示すように、単葉向けで屋根瓦本体２００の裏面に適用する屋根瓦本体補強用のアシスト瓦１００ｂは、その裏面形状が屋根瓦本体２００の裏面形状と略同一となっている。そのため、適用対象となった或る屋根瓦本体２００に対して、屋根瓦本体補強用のアシスト瓦１００ｂを適用して貼付しても、そのまま屋根瓦本体２００と同様に屋根に葺くことができるというメリットが得られる。
【００３４】
また、図１の下側に示すように、屋根瓦本体２００の裏面に適用する屋根瓦本体補強用のアシスト瓦１００ｂは、その表面形状が屋根瓦本体２００の裏面形状に合致するものとなっている。つまり、貼付する屋根瓦本体補強用のアシスト瓦１００ｂの表面と、貼付される屋根瓦本体２００の裏面とが合致している形状同士であるため、両者を密接に貼付することができる。
【００３５】
また、図１の下側に示すように、屋根瓦本体２００の厚みよりも、屋根瓦本体補強用のアシスト瓦１００ａの厚みが薄い曲面形状となっている。例えば図１の下側に示したように厚みが十分に薄い場合、屋根瓦本体２００に屋根瓦本体補強用のアシスト瓦１００ｂを貼付しても厚みの増加が顕著ではないため、屋根葺きの状態において、屋根瓦本体補強用のアシスト瓦１００ｂを貼付した屋根瓦本体２００が周囲から盛り上がったり浮き上がったりすることなく、整然と屋根葺きの状態を乱すこともない。
【００３６】
なお、屋根瓦本体２００は、完品状態であっても良く、破損状態であっても良い。いずれの場合でも屋根瓦本体２００の裏面を被覆するように屋根瓦本体補強用のアシスト瓦１００ｂを貼付して取り付けることにより、屋根瓦本体２００を補強することができる。
【００３７】
図３は、屋根瓦本体２００の裏面に屋根瓦本体補強用のアシスト瓦１００ｂを適用する様子を示す図である。
図３に示すように、屋根瓦本体２００の裏面に対して、屋根瓦本体補強用のアシスト瓦１００ｂの表面に接着剤などを介して貼付すると、図３の下側に示すように、両者が密着した状態となる。屋根瓦本体補強用のアシスト瓦１００ｂの表面形状が屋根瓦本体２００の裏面形状に合致するものとなっているので、両者を密接に貼付することができる。
屋根瓦本体補強用のアシスト瓦１００ｂを屋根瓦本体２００の裏面に適用した状態では、外形としては元々の屋根瓦本体２００の外形と同様であるため、屋根瓦本体補強用のアシスト瓦１００ｂで補強した屋根瓦本体２００は、普通の完品状態の屋根瓦本体２００として屋根の上に葺くことができる。たとえ屋根瓦本体２００が割れたり破損したりしている状態でも裏面側は屋根瓦本体補強用のアシスト瓦１００ｂに被覆されており耐衝撃性が向上している。
【００３８】
なお、上記に説明した、屋根瓦本体２００の表面側に貼付する屋根瓦本体補強用のアシスト瓦１００ａと、屋根瓦本体２００の裏面側に貼付する屋根瓦本体補強用のアシスト瓦１００ｂを同時に適用することも可能である。
図４は、屋根瓦本体２００の表面側に屋根瓦本体補強用のアシスト瓦１００ａを貼付し、屋根瓦本体２００の裏面側に屋根瓦本体補強用のアシスト瓦１００ｂを貼付する様子を示す図である。このように、屋根瓦本体２００の表面側にも裏面側にも屋根瓦本体補強用のアシスト瓦を貼付し、いわゆる“サンドイッチ”のように両面に施用することにより、より一層、耐漏水性が向上するとともに耐衝撃性も向上せしめることができる。
【００３９】
屋根瓦本体補強用のアシスト瓦１００の色彩は、透明、半透明、不透明等が可能であり、またその色彩も黒、赤、白、緑、黄等様々なバリエーションが可能である。さらに、絵柄や図柄などの模様を施すこともできる。図示した例では、屋根瓦本体補強用のアシスト瓦１００には特に絵柄や図柄などは施していないが、例えば漫画のキャラクターを表した図柄を付したものであっても良い。広告・看板媒体としても活用可能である。
【００４０】
上記した本発明の屋根瓦本体補強用のアシスト瓦１００によれば、簡単な施工が可能である。特別な技術を必要とせず素人でも簡単に取付けて施工することが可能となる。作業方法としては、破損瓦の上に差し込み、裏側の粘着テープで固定するだけで作業は完了する。特別な技能を必要とせず素人でも簡単に取り付けが可能となる。
軽量化することも容易である。軽く丈夫な素材を選ぶことにより、軽量で持ち運びも便利となり、厚みも薄いので大量備蓄にも省スペースで在庫が可能となる。
また、比較的長期間の使用にも耐える特性がある。風による破損や飛散の心配も不要である。瓦としての基本特性を備えており、瓦として必要とされる断熱性や耐候性を備え、家屋の構造体へ湿気や通気性を阻害すると言った問題を引き起こすこともない。
【実施例２】
【００４１】
実施例２として、単葉ではなく、屋根の上に敷設した状態の複数枚の屋根瓦本体（屋根瓦本体群）に対応した実施例を示す。
屋根瓦本体群へのカバー範囲として、横並び方向の複数枚の屋根瓦本体を一群としてカバーするタイプと、縦並び方向の複数枚の屋根瓦本体を一群としてカバーするタイプと、縦横マトリックスに並んだ複数枚の屋根瓦本体を一群としてカバーするタイプがある。いずれのタイプでも割れたり破損したりした補修対象の屋根瓦本体２００に対して周囲の完品状態の屋根瓦本体２００と併せて一体化することにより、耐漏水性や耐衝撃性を向上させることができるものとなっている。
【００４２】
まず、屋根瓦本体群へのカバー範囲として、横並び方向の複数枚の屋根瓦本体を一群としてカバーするタイプについて説明する。
実施例２にかかる屋根瓦本体群補強用のアシスト瓦でも、屋根瓦本体群が完品状態のものばかりであっても良いし、一部に割れや破損のある状態であっても良いが、ここでは、一例として、横並び方向に連続して配設された３枚の屋根瓦本体２００のうち、中央の屋根瓦本体２００に割れや破損があり、その両脇にある屋根瓦本体２００は完品状態である場合を説明する。
【００４３】
図５は、本発明の実施例２にかかる、３枚連続して横並びに配設された状態の屋根瓦本体群向けの屋根瓦本体群補強用のアシスト瓦を簡単に示した斜視図である。特に、屋根瓦本体群の表面側に適用するタイプがものとなっている。併せて屋根瓦本体２００も示している。
屋根瓦本体群補強用のアシスト瓦の素材としては限定されないが、実施例１に記載した素材と同様のものを用いることができる。
【００４４】
図５に示した屋根瓦本体群補強用のアシスト瓦１００ｃの外形としては、屋根の上に敷設した３枚連続して横並びの状態の屋根瓦本体２００の外形に適応した外形となっている。この例ではいわゆるＪ型瓦が横並びに３つ連続して配置された外形に対応するものとなっている。独特の波打った形状となっているが、プレス加工、Ｒ曲げ加工、加熱曲げ加工、その他樹脂貼合せ加工、瓦を入れる袋加工などで加工すれば良い。
【００４５】
図５に示した屋根瓦本体群補強用のアシスト瓦１００ｃは、３枚横並びに配設された屋根瓦本体群２００の表面形状と略同一の表面形状と略同一となっている。そのため、適用対象となった横方向に３枚連続した屋根瓦本体群２００に対して、屋根瓦本体群補強用のアシスト瓦１００ｃを表面側から適用して貼付しても、周囲の屋根瓦本体２００と同形状の仕上がりに見えるため、違和感がないというメリットが得られる。
この例では、横並び方向に連続して配設された３枚の屋根瓦本体２００のうち、中央の屋根瓦本体２００に割れや破損があり、その両脇にある屋根瓦本体２００は完品状態である場合なので、割れや破損がある中央の屋根瓦本体２００に対して、屋根瓦本体群補強用のアシスト瓦１００ｃを介して、サンドイッチまたはブリッジするように両脇に完品状態である屋根瓦本体２００と一体化することができる。中央の割れや破損のある屋根瓦本体２００を周囲の屋根瓦本体２００と一帯で十二分に補強することができる。
【００４６】
また、図５の上側に示すように、屋根瓦本体群補強用のアシスト瓦１００ｃは、その裏面形状が屋根瓦本体群２００の表面形状に合致するものとなっており、貼付する屋根瓦本体群補強用のアシスト瓦１００ｃの裏面と、貼付される屋根瓦本体群２００の表面とが合致している形状同士であるため、両者を密接に貼付することができる。
【００４７】
また、実施例１と同様、屋根瓦本体群２００の厚みよりも、屋根瓦本体群補強用のアシスト瓦１００ｃの厚みが薄い曲面形状となっており、屋根瓦本体群補強用のアシスト瓦１００ｃを貼付した屋根瓦本体群２００が周囲から盛り上がったり浮き上がったりすることなく、整然と屋根葺きの状態を乱すこともない。
【００４８】
図５に示すように、屋根瓦本体群２００の表面に対して、屋根瓦本体群補強用のアシスト瓦１００ｃの裏面を載置して接着剤などを介して貼付すると、図５の下側に示すように、両者が密着した状態となる。屋根瓦本体群補強用のアシスト瓦１００ｃの裏面形状が屋根瓦本体群２００の表面形状に合致するものとなっているので、両者を密接に貼付することができる。
屋根瓦本体群補強用のアシスト瓦１００ｃを屋根瓦本体群２００の表面に適用した状態では、外形としては元々の横並びに配設された屋根瓦本体群２００の外形と同様であるため、屋根瓦本体群補強用のアシスト瓦１００ｃで補強した屋根瓦本体群２００は、普通の完品状態の屋根瓦本体群２００として屋根の上に葺くことができる。たとえ中央にある屋根瓦本体群２００が割れたり破損したりしている状態でも表面側は屋根瓦本体群補強用のアシスト瓦１００ｃに左右一体に被覆されており、耐漏水性が向上するとともに耐衝撃性も向上している。
【００４９】
次に、屋根瓦本体群の裏面側に適用するタイプを説明する。図６は、図５同様、横並びに３枚連続に配設された屋根瓦本体群２００向けの屋根瓦本体群補強用のアシスト瓦１００ｄを簡単に示した斜視図である。併せて屋根瓦本体２００も示している。
図６に示すように、屋根瓦本体群補強用のアシスト瓦１００ｄは、その裏面形状が横並びに３枚連続に配設された屋根瓦本体群２００の裏面形状と略同一となっている。そのため、適用対象となった横並びに３枚連続した屋根瓦本体群２００に対して、屋根瓦本体群補強用のアシスト瓦１００ｄを適用して貼付しても、そのまま屋根瓦本体群２００と同様に屋根に葺くことができるというメリットが得られる。
【００５０】
また、図６の下側に示すように、横並びに３枚連続に配設された屋根瓦本体群２００の裏面に適用する屋根瓦本体群補強用のアシスト瓦１００ｄは、その表面形状が横並びに３枚連続に配設された屋根瓦本体群２００の裏面形状に合致するものとなっている。つまり、貼付する屋根瓦本体群補強用のアシスト瓦１００ｄの表面と、貼付される横並びに３枚連続に配設された屋根瓦本体群２００の裏面とが合致している形状同士であるため、両者を密接に貼付することができる。
また、実施例１と同様、屋根瓦本体群２００の厚みよりも、屋根瓦本体群補強用のアシスト瓦１００ｄの厚みが薄い曲面形状となっており、屋根瓦本体群補強用のアシスト瓦１００ｄを貼付した屋根瓦本体群２００が周囲から盛り上がったり浮き上がったりすることなく、整然と屋根葺きの状態を乱すこともない。
【００５１】
図６に示すように、屋根瓦本体群２００の裏面に、接着剤などを介して屋根瓦本体群補強用のアシスト瓦１００ｄの表面を貼付すると、図６の下側に示すように、両者が密着した状態となる。屋根瓦本体群補強用のアシスト瓦１００ｄの表面形状が屋根瓦本体群２００の裏面形状に合致するものとなっているので、両者を密接に貼付することができる。
屋根瓦本体群補強用のアシスト瓦１００ｄを屋根瓦本体群２００の裏面に適用した状態では、外形としては元々の横並びに配設された屋根瓦本体群２００の外形と同様であるため、屋根瓦本体群補強用のアシスト瓦１００ｄで補強した屋根瓦本体群２００は、普通の完品状態の屋根瓦本体群２００として屋根の上に葺くことができる。たとえ中央にある屋根瓦本体２００が割れたり破損したりしている状態でも裏面側は屋根瓦本体群補強用のアシスト瓦１００ｃに左右一体に被覆されており耐衝撃性が向上している。
【００５２】
なお、上記に説明した、屋根瓦本体群２００の表面側に貼付する屋根瓦本体群補強用のアシスト瓦１００ｃと、屋根瓦本体群２００の裏面側に貼付する屋根瓦本体群補強用のアシスト瓦１００ｄを同時に適用することも可能である。
図７は、屋根瓦本体群２００の表面側に屋根瓦本体群補強用のアシスト瓦１００ｃを貼付し、屋根瓦本体群２００の裏面側に屋根瓦本体群補強用のアシスト瓦１００ｄを貼付する様子を示す図である。このように、屋根瓦本体群２００の表面側にも裏面側にも屋根瓦本体群補強用のアシスト瓦を貼付し、いわゆる“サンドイッチ”のように両面に施用することにより、より一層、耐漏水性が向上するとともに耐衝撃性も向上せしめることができる。
【００５３】
次に、屋根瓦本体群２００が、上下方向に複数枚連続して配設されている状態の屋根瓦本体群向けの屋根瓦本体群補強用のアシスト瓦の例を説明する。
図８は、本発明の実施例２にかかる、３枚連続して縦方向に配設された状態の屋根瓦本体群２００向けの屋根瓦本体群補強用のアシスト瓦１００ｅを簡単に示した斜視図である。特に、屋根瓦本体群の表面側に適用するタイプがものとなっている。併せて屋根瓦本体２００も示している。
【００５４】
図８に示した屋根瓦本体群補強用のアシスト瓦１００ｅの外形としては、屋根の上に敷設した３枚連続して縦方向に配設された状態の屋根瓦本体群２００の外形に適応した外形となっている。この例ではいわゆるＪ型瓦が縦方向に３枚連続して配置された外形に対応するものとなっている。独特の波打った形状となっているが、プレス加工、Ｒ曲げ加工、加熱曲げ加工、その他樹脂貼合せ加工、瓦を入れる袋加工などで加工すれば良い。
【００５５】
図８に示した屋根瓦本体群補強用のアシスト瓦１００ｅは、３枚縦方向に配設された屋根瓦本体群２００の表面形状と略同一の表面形状と略同一となっている。そのため、適用対象となった縦方向に３枚連続した屋根瓦本体群２００に対して、屋根瓦本体群補強用のアシスト瓦１００ｅを表面側から適用して貼付しても、周囲の屋根瓦本体２００と同形状の仕上がりに見えるため、違和感がないというメリットが得られる。
この例では、縦方向に連続して配設された３枚の屋根瓦本体２００のうち、中央の屋根瓦本体２００に割れや破損があり、その上下にある屋根瓦本体２００は完品状態である場合とする。割れや破損がある中央の屋根瓦本体２００に対して、屋根瓦本体群補強用のアシスト瓦１００ｅを介して、サンドイッチまたはブリッジするように上下の完品状態である屋根瓦本体２００と一体化することができる。中央の割れや破損のある屋根瓦本体２００を周囲の屋根瓦本体２００と一体で十二分に補強することができる。
【００５６】
また、図８の左側に示すように、屋根瓦本体群補強用のアシスト瓦１００ｅは、その裏面形状が屋根瓦本体群２００の表面形状に合致するものとなっており、貼付する屋根瓦本体群補強用のアシスト瓦１００ｅの裏面と、貼付される屋根瓦本体群２００の表面とが合致している形状同士であるため、両者を密接に貼付することができる。
【００５７】
また、実施例１と同様、屋根瓦本体群２００の厚みよりも、屋根瓦本体群補強用のアシスト瓦１００ｅの厚みが薄い曲面形状となっており、屋根瓦本体群補強用のアシスト瓦１００ｅを貼付した屋根瓦本体群２００が周囲から盛り上がったり浮き上がったりすることなく、整然と屋根葺きの状態を乱すこともない。
【００５８】
図８に示すように、屋根瓦本体群２００の表面に対して、屋根瓦本体群補強用のアシスト瓦１００ｅの裏面を載置して接着剤などを介して貼付すると、図８の右側に示すように、両者が密着した状態となる。屋根瓦本体群補強用のアシスト瓦１００ｅの裏面形状が屋根瓦本体群２００の表面形状に合致するものとなっているので、両者を密接に貼付することができる。
屋根瓦本体群補強用のアシスト瓦１００ｅを屋根瓦本体群２００の表面に適用した状態では、外形としては元々の縦方向に配設された屋根瓦本体群２００の外形と同様であるため、屋根瓦本体群補強用のアシスト瓦１００ｅで補強した屋根瓦本体群２００は、普通の完品状態の屋根瓦本体群２００として屋根の上に葺くことができる。たとえ中央にある屋根瓦本体群２００が割れたり破損したりしている状態でも表面側は屋根瓦本体群補強用のアシスト瓦１００ｅにより上下一体に被覆されており、耐漏水性が向上するとともに耐衝撃性も向上している。
【００５９】
次に、屋根瓦本体群の裏面側に適用するタイプを説明する。図９は、図８同様、縦方向に３枚連続に配設された屋根瓦本体群２００向けの屋根瓦本体群補強用のアシスト瓦１００ｆを簡単に示した斜視図である。併せて屋根瓦本体２００も示している。
図９に示すように、屋根瓦本体群補強用のアシスト瓦１００ｆは、その裏面形状が縦方向に３枚連続に配設された屋根瓦本体群２００の裏面形状と略同一となっている。そのため、適用対象となった縦方向に３枚連続した屋根瓦本体群２００に対して、屋根瓦本体群補強用のアシスト瓦１００ｆを適用して貼付しても、そのまま屋根瓦本体群２００と同様に屋根に葺くことができるというメリットが得られる。
【００６０】
また、図９の右側に示すように、縦方向に３枚連続に配設された屋根瓦本体群２００の裏面に適用する屋根瓦本体群補強用のアシスト瓦１００ｆは、その表面形状が縦方向に３枚連続に配設された屋根瓦本体群２００の裏面形状に合致するものとなっている。つまり、貼付する屋根瓦本体群補強用のアシスト瓦１００ｆの表面と、貼付される縦方向に３枚連続に配設された屋根瓦本体群２００の裏面とが合致している形状同士であるため、両者を密接に貼付することができる。
【００６１】
また、実施例１と同様、屋根瓦本体群２００の厚みよりも、屋根瓦本体群補強用のアシスト瓦１００ｆの厚みが薄い曲面形状となっており、屋根瓦本体群補強用のアシスト瓦１００ｆを貼付した屋根瓦本体群２００が周囲から盛り上がったり浮き上がったりすることなく、整然と屋根葺きの状態を乱すこともない。
【００６２】
図９に示すように、屋根瓦本体群２００の裏面に、接着剤などを介して屋根瓦本体群補強用のアシスト瓦１００ｆの表面を貼付すると、図９の右側に示すように、両者が密着した状態となる。屋根瓦本体群補強用のアシスト瓦１００ｆの表面形状が屋根瓦本体群２００の裏面形状に合致するものとなっているので、両者を密接に貼付することができる。
屋根瓦本体群補強用のアシスト瓦１００ｆを屋根瓦本体群２００の裏面に適用した状態では、外形としては元々の縦方向に３枚連続に配設された屋根瓦本体群２００の外形と同様であるため、屋根瓦本体群補強用のアシスト瓦１００ｆで補強した屋根瓦本体群２００は、普通の完品状態の屋根瓦本体群２００として屋根の上に葺くことができる。たとえ中央にある屋根瓦本体２００が割れたり破損したりしている状態でも裏面側は屋根瓦本体群補強用のアシスト瓦１００ｆに左右一体に被覆されており耐衝撃性が向上している。
【００６３】
なお、上記に説明した、屋根瓦本体群２００の表面側に貼付する屋根瓦本体群補強用のアシスト瓦１００ｅと、屋根瓦本体群２００の裏面側に貼付する屋根瓦本体群補強用のアシスト瓦１００ｆを同時に適用することも可能である。
図１０は、屋根瓦本体群２００の表面側に屋根瓦本体群補強用のアシスト瓦１００ｅを貼付し、屋根瓦本体群２００の裏面側に屋根瓦本体群補強用のアシスト瓦１００ｆを貼付する様子を示す図である。このように、屋根瓦本体群２００の表面側にも裏面側にも屋根瓦本体群補強用のアシスト瓦を貼付し、いわゆる“サンドイッチ”のように両面に施用することにより、より一層、耐漏水性が向上するとともに耐衝撃性も向上せしめることができる。
【００６４】
次に、屋根瓦本体群２００が、縦横マトリックスに複数枚連続して配設されている状態の屋根瓦本体群向けの屋根瓦本体群補強用のアシスト瓦の例を説明する。
図１１は、本発明の実施例２にかかる、縦横マトリックス３枚ずつ連続して配設された状態の屋根瓦本体群２００向けの屋根瓦本体群補強用のアシスト瓦１００ｇを簡単に示した斜視図である。特に、屋根瓦本体群の表面側に適用するタイプがものとなっている。併せて屋根瓦本体２００も示している。
【００６５】
図１１に示した屋根瓦本体群補強用のアシスト瓦１００ｇの外形としては、屋根の上に敷設した縦横マトリクスに３枚ずつ連続して配設された状態の９枚の屋根瓦本体群２００の外形に適応した外形となっている。この例ではいわゆるＪ型瓦が縦横マトリクスに３枚ずつ連続して配置された外形に対応するものとなっている。独特の波打った形状となっているが、プレス加工、Ｒ曲げ加工、加熱曲げ加工、その他樹脂貼合せ加工、瓦を入れる袋加工などで加工すれば良い。
【００６６】
図１１に示した屋根瓦本体群補強用のアシスト瓦１００ｇは、縦横マトリクスに３枚ずつ連続して配置された屋根瓦本体群２００の表面形状と略同一の表面形状と略同一となっている。そのため、適用対象となった屋根瓦本体群２００に対して、屋根瓦本体群補強用のアシスト瓦１００ｇを表面側から適用して貼付しても、周囲の屋根瓦本体２００と同形状の仕上がりに見えるため、違和感がないというメリットが得られる。
この例では、縦横マトリクスに３枚ずつ連続して配置された屋根瓦本体群２００のうち、中央の屋根瓦本体２００に割れや破損があり、その上下縦方向や横方向にある他の８枚の屋根瓦本体２００は完品状態である場合とする。割れや破損がある中央の屋根瓦本体２００に対して、屋根瓦本体群補強用のアシスト瓦１００ｇを介して、縦横からサンドイッチまたはブリッジするように完品状態である屋根瓦本体２００と一体化することができる。中央の割れや破損のある屋根瓦本体２００を周囲の屋根瓦本体２００と一体で十二分に補強することができる。
【００６７】
また、図１１の上側に示すように、屋根瓦本体群補強用のアシスト瓦１００ｇは、その裏面形状が屋根瓦本体群２００の表面形状に合致するものとなっており、貼付する屋根瓦本体群補強用のアシスト瓦１００ｇの裏面と、貼付される屋根瓦本体群２００の表面とが合致している形状同士であるため、両者を密接に貼付することができる。
【００６８】
また、実施例１と同様、屋根瓦本体群２００の厚みよりも、屋根瓦本体群補強用のアシスト瓦１００ｇの厚みが薄い曲面形状となっており、屋根瓦本体群補強用のアシスト瓦１００ｇを貼付した屋根瓦本体群２００が周囲から盛り上がったり浮き上がったりすることなく、整然と屋根葺きの状態を乱すこともない。
【００６９】
図１１に示すように、屋根瓦本体群２００の表面に対して、屋根瓦本体群補強用のアシスト瓦１００ｇの裏面を載置して接着剤などを介して貼付すると、図１１の下側に示すように、両者が密着した状態となる。屋根瓦本体群補強用のアシスト瓦１００ｇの裏面形状が屋根瓦本体群２００の表面形状に合致するものとなっているので、両者を密接に貼付することができる。
屋根瓦本体群補強用のアシスト瓦１００ｇを屋根瓦本体群２００の表面に適用した状態では、外形としては元々のマトリクス状に配設された屋根瓦本体群２００の外形と同様であるため、屋根瓦本体群補強用のアシスト瓦１００ｇで補強した屋根瓦本体群２００は、普通の完品状態の屋根瓦本体群２００として屋根の上に葺くことができる。たとえ中央にある屋根瓦本体群２００が割れたり破損したりしている状態でも表面側は屋根瓦本体群補強用のアシスト瓦１００ｇにより上下一体に被覆されており、耐漏水性が向上するとともに耐衝撃性も向上している。
【００７０】
次に、屋根瓦本体群の裏面側に適用するタイプを説明する。図１２は、図１１同様、縦横マトリクスに３枚ずつ連続に配設された屋根瓦本体群２００向けの屋根瓦本体群補強用のアシスト瓦１００ｈを簡単に示した斜視図である。併せて屋根瓦本体２００も示している。
図１２に示すように、屋根瓦本体群補強用のアシスト瓦１００ｈは、その裏面形状が縦横マトリクスに３枚ずつ連続に配設された屋根瓦本体群２００の裏面形状と略同一となっている。そのため、適用対象となった屋根瓦本体群２００に対して、屋根瓦本体群補強用のアシスト瓦１００ｈを適用して貼付しても、そのまま屋根瓦本体群２００と同様に屋根に葺くことができるというメリットが得られる。
【００７１】
また、図１２の上側に示すように、縦横マトリクスに３枚ずつ連続に配設された屋根瓦本体群２００の裏面に適用する屋根瓦本体群補強用のアシスト瓦１００ｈは、その表面形状が屋根瓦本体群２００の裏面形状に合致するものとなっている。つまり、貼付する屋根瓦本体群補強用のアシスト瓦１００ｈの表面と、貼付される屋根瓦本体群２００の裏面とが合致している形状同士であるため、両者を密接に貼付することができる。
【００７２】
また、実施例１と同様、屋根瓦本体群２００の厚みよりも、屋根瓦本体群補強用のアシスト瓦１００ｈの厚みが薄い曲面形状となっており、屋根瓦本体群補強用のアシスト瓦１００ｈを貼付した屋根瓦本体群２００が周囲から盛り上がったり浮き上がったりすることなく、整然と屋根葺きの状態を乱すこともない。
【００７３】
図１２に示すように、屋根瓦本体群２００の裏面に、接着剤などを介して屋根瓦本体群補強用のアシスト瓦１００ｈの表面を貼付すると、図１２の下側に示すように、両者が密着した状態となる。屋根瓦本体群補強用のアシスト瓦１００ｈの表面形状が屋根瓦本体群２００の裏面形状に合致するものとなっているので、両者を密接に貼付することができる。
屋根瓦本体群補強用のアシスト瓦１００ｈを屋根瓦本体群２００の裏面に適用した状態では、外形としては元々の縦横マトリクスに３枚ずつ連続に配設された屋根瓦本体群２００の外形と同様であるため、屋根瓦本体群補強用のアシスト瓦１００ｈで補強した屋根瓦本体群２００は、普通の完品状態の屋根瓦本体群２００として屋根の上に葺くことができる。たとえ中央にある屋根瓦本体２００が割れたり破損したりしている状態でも裏面側は屋根瓦本体群補強用のアシスト瓦１００ｈに左右一体に被覆されており耐衝撃性が向上している。
【００７４】
なお、上記に説明した、屋根瓦本体群２００の表面側に貼付する屋根瓦本体群補強用のアシスト瓦１００ｇと、屋根瓦本体群２００の裏面側に貼付する屋根瓦本体群補強用のアシスト瓦１００ｈを同時に適用することも可能である。
図１３は、屋根瓦本体群２００の表面側に屋根瓦本体群補強用のアシスト瓦１００ｇを貼付し、屋根瓦本体群２００の裏面側に屋根瓦本体群補強用のアシスト瓦１００ｈを貼付した図である。このように、屋根瓦本体群２００の表面側にも裏面側にも屋根瓦本体群補強用のアシスト瓦を貼付し、いわゆる“サンドイッチ”のように両面に施用することにより、より一層、耐漏水性が向上するとともに耐衝撃性も向上せしめることができる。
【実施例３】
【００７５】
実施例３として、屋根瓦本体補強用のアシスト瓦または屋根瓦本体群補強用のアシスト瓦の一部に、雨水の流れを制御する突条片を設けた例を説明する。
例として、屋根瓦本体補強用のアシスト瓦を取り上げて説明するが、屋根瓦本体群補強用のアシスト瓦であっても同様である。
図１４に示すように、屋根瓦本体補強用のアシスト瓦１００の曲面形状の一部に雨水の浸入を防止する突条片１１０を設けたものとなっている。
図１４（ａ）の構成例では、屋根瓦本体補強用のアシスト瓦１００ａの表面側の上辺付近に突条片１１０ａが設けられている。
図１４（ｂ）の構成例では、屋根瓦本体補強用のアシスト瓦１００ｂの裏面側の下辺付近に突条片１１０ｂが設けられている。
【００７６】
この突条片１１０は、本来、雨水は傾斜している瓦の表面をなぞるように上から下へ一方に流れ落ちるものであるが、屋根瓦本体２００同士の重なりにおいて、表面張力などで屋根瓦本体２００の裏面側へ回り込んでしまう事象が発生し得る。その箇所は、つまり、屋根瓦本体補強用のアシスト瓦１００の表面側の上辺付近と屋根瓦本体補強用のアシスト瓦１００の裏面側の下辺付近との重なり部分である。そこで、図１４（ａ）や図１４（ｂ）に図示したように、屋根瓦本体補強用のアシスト瓦１００ａの表面側の上辺付近に突条片１１０ａを設けた構造としたり、屋根瓦本体補強用のアシスト瓦１００ｂの裏面側の下辺付近に突条片１１０ｂを設けた構成としたりすることが雨水の逆流には効果的である。
【００７７】
なお、突条片１１０の素材は特に限定されないが、例えば、屋根瓦本体補強用のアシスト瓦１００ａや屋根瓦本体補強用のアシスト瓦１００ｂの素材と同じ素材でも良いし、異なる素材でも良い。素材としては耐水性がある素材でも良いし、逆にスポンジなど吸水性、保水性のある素材でも良い。また、突条片１１０の加工は、本体である屋根瓦本体補強用のアシスト瓦１００ａや屋根瓦本体補強用のアシスト瓦１００ｂと一体成型により形成しても良い。また、熱硬化性樹脂や熱可塑性樹脂素材で形成して本体である屋根瓦本体補強用のアシスト瓦１００ａや屋根瓦本体補強用のアシスト瓦１００ｂに対して熱融着により取り付けても良い。また、単純に、後付けで貼付することにより形成しても良い。
【００７８】
以上、本発明の屋根瓦本体補強用のアシスト瓦および屋根瓦本体群補強用のアシスト瓦の構成例における好ましい実施例を図示して説明してきたが、本発明の技術的範囲を逸脱することなく種々の変更が可能であることは理解されるであろう。
【産業上の利用可能性】
【００７９】
本発明の屋根瓦本体補強用のアシスト瓦および屋根瓦本体群補強用のアシスト瓦は、屋根瓦の補強用の部材として広く適用することができる。
【符号の説明】
【００８０】
１００ａ，ｂ  屋根瓦本体補強用のアシスト瓦
１００ｃ，ｄ，ｅ，ｆ，ｇ，ｈ  屋根瓦本体群補強用のアシスト瓦
１１０  突条片
２００  屋根瓦本体
【図１】
2020204179.tif 000003
【図２】
2020204179.tif 000004
【図３】
2020204179.tif 000005
【図４】
2020204179.tif 000006
【図５】
2020204179.tif 000007
【図６】
2020204179.tif 000008
【図７】
2020204179.tif 000009
【図８】
2020204179.tif 000010
【図９】
2020204179.tif 000011
【図１０】
2020204179.tif 000012
【図１１】
2020204179.tif 000013
【図１２】
2020204179.tif 000014
【図１３】
2020204179.tif 000015
【図１４】
2020204179.tif 000016